(57)【要約】  超音波振動によって軟化した角栓を除去する際に肌を傷つけることを防止することが可能な超音波振動美容器を提供すること。超音波振動美容器が被施術者の肌に当接する施術面を有する多孔質の保液部材（３０）と、前記保液部材を前記施術面を含む上部を露出させて収納する有底筒状の収納部材（２０）と、前記収納部材の開口側の縁部に固定され、前記保液部材を上部に設けた開口から前記施術面を露出させつつ押圧固定する蓋体（４０）と、前記収納部材の底面側に当接配置され、前記収納部材を介して前記保液部材を振動させる超音波振動子（５０）と、前記超音波振動子に２０ｋＨｚ〜３００ｋＨｚの高周波電圧を印加する電源制御部（６０）と、これらを一体的に保持する携帯可能な筐体（１０）とを具備する。
2014192307.tif 000002
【特許請求の範囲】
【請求項１】
被施術者の肌に当接する施術面を有する多孔質の保液部材と、  前記保液部材を前記施術面を含む上部を露出させて収納する有底筒状の収納部材と、前記収納部材の開口側の縁部に固定され、前記保液部材を上部に設けた開口から前記施術面を露出させつつ前記収納部材内に押圧固定する蓋体と、  前記収納部材の底面側に当接配置され、前記収納部材を介して前記保液部材を振動させる超音波振動子と、  前記超音波振動子に２０ｋＨｚ〜３００ｋＨｚの高周波電圧を印加する電源制御部と、  前記保液部材、前記収納部材、前記蓋体、前記超音波振動子及び前記電源制御部を一体的に保持する携帯可能な筐体とを具備する超音波振動美容器。
【請求項２】
前記収納部材には、前記保液部材または前記被施術者の肌に機械的な刺激を与える突起を有する肌面刺激部材が着脱可能に取り付けられる請求項１に記載の超音波振動美容器。
【請求項３】
前記収納部材は、弾性体を介して前記筐体に取りつけられる請求項１又は２に記載の超音波振動美容器。
【請求項４】
前記保液部材が、平均孔径が１００μｍ〜５ｍｍの弾性を有し吸液可能なスポンジである請求項１ないし３のいずれか一項に記載の超音波振動美容器。
【請求項５】
前記蓋体が導電性の部材で形成されており、かつ前記筐体には当該筐体を把持した施術者の手に当接する電極が設けられ、前記電源制御部が、前記蓋体及び電極間にさらに電圧を印加する請求項１ないし４のいずれか一項に記載の超音波振動美容器。
【請求項６】
前記超音波振動子又は前記収納部材の温度を計測する温度計をさらに備え、前記電源制御部が、前記温度計が計測した温度に対応させて、前記超音波振動子への電圧印加のＯＮまたはＯＦＦの時間を可変制御する請求項１ないし５のいずれか一項に記載の超音波振動美容器。
【請求項７】
前記保液部材の前記収納部材への着脱を検知する検知手段を更に備え、検知手段によって前記保液部材が取り付けられていないことが検知された場合、前記電源制御部は、前記超音波振動子への電圧の供給を行わない請求項１ないし６のいずれか一項に記載の超音波振動美容器。
【請求項８】
前記収納部材を加振する振動モータを更に備える請求項１ないし７のいずれか一項に記載の超音波振動美容器。
【発明の詳細な説明】
【技術分野】
【０００１】  本発明の実施形態は、超音波振動美容器に関する。
【背景技術】
【０００２】  超音波振動するプローブヘッドと、このプローブヘッドの周囲をカバーする筒状の壁部を備える超音波美容器具が知られている（例えば、特許文献１参照）。  この超音波美容器具では、プローブヘッドを肌に接触させたまま動かすことで、毛穴に詰まった角栓を軟化させることができる。そして、超音波美容器具では、筒状の壁部の内縁によって、軟化した角栓をはぎ取るように除去することができる（例えば、特許文献１参照）。
【先行技術文献】
【特許文献】
【０００３】
【特許文献１】特開２００９−０８２３７６号公報
【発明の概要】
【発明が解決しようとする課題】
【０００４】  しかしながら上記装置では、軟化した角栓をはぎ取るように除去する際に肌面を傷つけてしまう怖れがあった。【０００５】  本発明は、このような事情を考慮してなされたものであり、超音波振動によって軟化した角栓を除去する際に肌を傷つけることを防止することが可能な超音波振動美容器を提供することを目的とする。
【課題を解決するための手段】
【０００６】  実施形態の超音波振動美容器は、被施術者の肌に当接する施術面を有する多孔質の保液部材と、前記保液部材を前記施術面を含む上部を露出させて収納する有底筒状の収納部材と、前記収納部材の開口側の縁部に固定され、前記保液部材を上部に設けた開口から前記施術面を露出させつつ押圧固定する蓋体と、前記収納部材の底面側に当接配置され、前記収納部材を介して前記保液部材を振動させる超音波振動子と、前記超音波振動子に２０ｋＨｚ〜３００ｋＨｚの高周波電圧を印加する電源制御部と、これらを一体的に保持する携帯可能な筐体とを具備する。【０００７】  従来、超音波を使用した美容器では超音波振動子を１[ＭＨｚ]程度で振動させるものが多かったが、毛穴に詰まった角栓や被施術者の肌表面の脂を効率よく乳化させることが困難な場合があった。超音波振動子に２０ｋＨｚ〜３００ｋＨｚの高周波電圧を印加することにより、毛穴に詰まった角栓や被施術者の肌表面の脂を効率よく乳化させることができる。【０００８】  実施形態の超音波振動美容器は、前記収納部材には、前記保液部材または前記被施術者の肌に機械的な刺激を与える突起を有する肌面刺激部材が着脱可能に取り付けられる。  実施形態の超音波振動美容器は、前記収納部材には、前記保液部材または前記被施術者の肌に機械的な刺激を与える複数のくし体を有する肌面刺激部材が着脱可能に取り付けられる。前記収納部材は、弾性体を介して前記筐体に取りつけられることがのぞましい。前記保液部材は、例えば、平均孔径が１００μｍ〜５ｍｍの弾性を有し吸液可能なスポンジである。【０００９】  実施形態の超音波振動美容器は、前記蓋体が導電性の部材で形成されており、かつ前記筐体には当該筐体を把持した施術者の手に当接する電極が設けられ、前記電源制御部が、前記蓋体及び電極間にさらに電圧を印加する。  実施形態の超音波振動美容器は、前記超音波振動子又は前記収納部材の温度を計測する温度計をさらに備え、前記電源制御部が、前記温度計の計測した温度に対応させて、前記超音波振動子への電圧の印加のＯＮまたはＯＦＦ時間を制御する。前記保液部材の前記収納部材への着脱を検知する検知手段を更に備え、検知手段によって前記保液部材が取り付けられていないことが検知された場合、前記電源制御部は、前記超音波振動子への電圧の供給を行わないように構成することもできる。  実施形態の超音波振動美容器は、前記収納部材を加振する振動モータを更に備えることもできる。
【発明の効果】
【００１０】  本発明によれば、超音波振動によって軟化した角栓を除去する際に肌を傷つけることを防止することが可能な超音波振動美容器を提供することができる。
【図面の簡単な説明】
【００１１】
【図１】本発明の第１の実施の形態にかかる超音波振動美容器１の斜視図。
【図２】超音波振動美容器１のヘッド部の一部断面図。
【図３】超音波振動美容器１の電気的な機能を示す機能ブロック図。
【図４】ヘッド部が交換可能であることを示す図。
【図５】超音波振動美容器２のヘッド部の一部断面図。
【図６】超音波振動美容器２の電気的な機能を示す機能ブロック図。
【発明を実施するための形態】
【００１２】  以下、実施の形態を図に基づき説明する。［第１の実施の形態］  図１は、この実施形態の超音波振動美容器１の斜視図である。図２は、超音波振動美容器１のヘッド部の一部断面図である。  図１に示すように、超音波振動美容器１は、筐体１０、保持容器２０、スポンジ３０、蓋４０、超音波振動子５０、側面電極５５、制御回路基板６０を備える。超音波振動美容器１は、制御回路基板６０に電力を供給するための二次電池７０を備えることもできる。
【００１３】  超音波振動美容器１は、スポンジ３０を振動させることによって、このスポンジ３０に含まれる液体（水、洗浄液または化粧液）を被施術者の肌面に供給しつつ、この肌面を振動させて毛穴に詰まった角栓や肌表面の脂を乳化させて除去する洗浄装置である。（筐体１０について）  筐体１０は、プラスチックを射出成形することによって形成される。筐体１０は、使用者（施術者，被施術者）が手で掴む部分となる略直方体状の本体部１１と、本体部１１の先端付近（図１中で上端）に位置する略円筒状のヘッド基台部１２を備える。本体部１１は、正面部１１ａ、この正面部１１ａの反対側の裏面部１１ｂ、正面部１１ａ及び裏面部１１ｂを接続する側面部１１ｃ，１１ｄ，底面部１１ｅを備える。
【００１４】  正面部１１ａのヘッド基台部１２近傍には、スポンジ３０への加振（振動を加えること）のＯＮまたはＯＦＦ、蓋４０及び側面電極５５に電圧を印加してイオン導入法による肌面のトリートメントを行う為のスイッチ７５が設けられる。正面部１１ａのヘッド基台部１２近傍には、二次電池７０の充電状態やスポンジ３０への加振のＯＮまたはＯＦＦの状態を示すＬＥＤなどからなる表示部８０が設けられる。表示部８０には、液晶ディスプレイなどの表示装置を設けるようにしてもよい。  側面電極５５は、側面部１１ｃ又は側面部１１ｄに設けられる。側面電極５５は、本体部１１を把持した使用者の手の平や指と接触する。側面電極５５は、蓋４０と対となる電極である。すなわち側面電極５５は、イオン導入法による肌面のトリートメント時に、蓋４０に対する他極側の電極として機能する。側面電極５５には導線６２ｂを介して制御回路基板６０から電圧が印加される（図２）。  底面部１１ｅには、商用電源から電力を得るための電源端子１１ｆが設けられる。
【００１５】  ヘッド基台部１２は、略円筒状をなしている。ヘッド基台部１２は、本体部１１と一体的に形成されている。ヘッド基台部１２は、本体部１１の正面部１１ａ及び側面部１１ｃ、側面部１１ｄよりも突出するように設けられている。すなわち、ヘッド基台部１２の側面部１２ａは、本体部１１の側面部１１ｃの高さ（裏面部１１ｂから正面部１１ａに向かう方向の長さ）よりも高くかつ本体部１１の正面部１１ａの幅（側面部１１ｃから側面部１１ｄまでの長さ）よりも広い径を有するように形成されている。このことにより、本体部１１を把持した際の指の太さに影響されずに、スポンジ３０を肌面に接触させることができる。
【００１６】（保持容器２０について）  図２に示すように保持容器２０は、断面Ｈ形状の支持用ブッシュゴム１３を介してヘッド基台部１２の開口１２ａの縁部に取付けられる。保持容器２０は、超音波振動子５０によって振動が加えられることによって振動する。  保持容器２０は、ステンレスやアルミなどの合金を板金加工して形成された有底の筒体である。保持容器２０は、円筒形状の壁面部２１及びこの壁面部２１の一端側を塞ぐように設けられた底面部２２を有している。すなわち、保持容器２０の他端側は開口している。壁面部２１は、底面部２２の周縁からこの底面部２２の面方向に直交する方向に向かって設けられている。
【００１７】  壁面部２１は、内周面２１ａ及び外周面２１ｂを有する。内周面２１ａは平坦面であり、スポンジ３０と密接する。外周面２１ｂには、ねじ山部２１ｃ及びフランジ２１ｄが、それぞれ外周面２１ｂの周方向に沿って凸状に設けられている。  ねじ山部２１ｃは、保持容器２０の開口近傍に位置している。ねじ山部２１ｃは、蓋４０と螺合する。フランジ２１ｄは、底面部２２近傍に位置している。フランジ２１ｄは、支持用ブッシュゴム１３に嵌合する。  底面部２２は、平坦形状に形成されている。底面部２２は、内側面２２ａ及び外側面２２ｂを有する。内側面２２ａは、壁面部２１の内周面２１ａとの接続面である。内周面２１ａは、スポンジ３０の底面部３０ａと接触する。内側面２２ａの所定の箇所では、一対の着脱検知電極２３の一部が、内側面２２ａから露出している。底面部２２の外側面２２ｂの略中央部には超音波振動子５０が密着して取り付けられる。
【００１８】  一対の着脱検知電極２３は、底面部２２と電気的に絶縁されている。一対の着脱検知電極２３は、導線６１によってそれぞれ制御回路基板６０と接続される。一対の着脱検知電極２３は、底面部２２以外にも種々の箇所（例えば、壁面部２１）に設けてもよい。水分を含んだスポンジ３０が一対の着脱検知電極２３に接触することで、一対の着脱検知電極２３が短絡する。このことを制御回路基板６０は検知できる。この結果、制御回路基板６０は、スポンジ３０が保持容器２０に挿入されているか否かを検出できる。
【００１９】（保持容器２０の寸法について）  上記のように構成された保持容器２０では、超音波振動子５０の振動を効率よく水分を含んだスポンジ３０に伝達するために、所定の寸法を有している。例えば、深さ（内側面２２ａから保持容器２０の開口までの長さ）Ｈ１は、０．４７〜０．５７５［ｃｍ］程度で有ることが望ましい。  この深さＨ１[ｃｍ]は、超音波振動子５０の振動の伝搬速度ｖ［ｍ／ｓ］及び超音波振動子５０の振動の周波数ｆ［Ｈｚ］によって規定することができる。すなわち、深さＨ１［ｃｍ］は数式１によって表すことができる。
【００２０】
【数１】
2014192307.tif 000003
伝搬速度ｖは、例えば、１５００［ｍ／ｓ］である。  このように深さＨ１を規定することによって、超音波振動子５０の振動をスポンジ３０に効率よく伝搬させることができる。超音波振動によって、無駄な力を使わずに、毛穴に詰まった角栓や肌表面の脂を乳化させ、最適な洗浄力を得ることができる。なお、保持容器２０の肉厚は、最大で２［ｍｍ］程度であることが望ましい。例えば、保持容器２０をステンレス鋼で構成する場合には、保持容器２０の肉厚を０.５[ｍｍ]以下とすることが望ましい。例えば、保持容器２０をアルミ合金で構成する場合には、保持容器２０の肉厚を１〜２[ｍｍ]程度とすることが望ましい。
【００２１】（スポンジ３０について）  スポンジ３０は、弾性を有する発泡体である。詳細には、スポンジ３０は、略中央部断面（図１のＡ−Ａ断面）での平均孔径が１００［μｍ］〜５［ｍｍ］程度の多孔質の部材である。スポンジ３０は、例えば、手や指などによって押されたり、肌面に押し付けられたりすることで変形する。スポンジ３０は、弾性及び保液性に優れており、被施術者の肌面に供給される液体を保持（保液）する。スポンジ３０には、予め液体を染み込ませておいてもよいし、肌面の洗浄を行う直前や、肌面の洗浄中にスポンジ３０が乾燥してきたら液体を継ぎ足すようにしてもよい。つぎたされた液体は、スポンジ３０に染み込み、スポンジ３０によって保持される。
【００２２】  スポンジ３０は、略円筒状に形成されている。スポンジ３０は、底面部３０ａ及び肌接触面３０ｂを備える。スポンジ３０の側面は、底面部３０ａから肌接触面３０ｂに向かう方向で一度縮径する。すなわち、スポンジ３０は、大径の第１側面部３０ｃ、小径の第２側面部３０ｄ、これらを接続するテーパ面である第３側面部３０ｅを有する。  スポンジ３０は、底面部３０ａを保持容器２０の底面部２２に対向させつつ、保持容器２０の開口から保持容器２０内に着脱自在に挿入される。スポンジ３０を保持容器２０から外すことで、スポンジ３０や保持容器２０の内面を容易に洗浄でき、これらを清潔に保つことができる。
【００２３】  底面部３０ａは、底面部２２と対応して平坦形状に形成されている。底面部３０ａは、スポンジ３０が保持容器２０に挿入された際に底面部２２の内側面２２ａと密着する。このとき、底面部３０ａは一対の着脱検知電極２３とも接触する。この結果、水分を含んだ底面部３０ａによって一対の着脱検知電極２３が短絡する。  肌接触面３０ｂは、弧状に膨らんだ形状を有しており、被施術者の肌面にフィットしやすいように形成されている。肌接触面３０ｂは、スポンジ３０が保液する液体を被施術者の肌面に供給するためのものである。  第１側面部３０ｃは、保持容器２０の内周面２１ａと対応する径を有している。第１側面部３０ｃは、平坦形状に形成されている。第１側面部３０ｃは、スポンジ３０が保持容器２０に挿入された際には、内周面２１ａと密着する。
【００２４】（スポンジ３０の高さについて）  上記のように構成されたスポンジ３０では、超音波振動子５０の振動を効率よく伝達するために高さ（底面部３０ａから肌接触面３０ｂの先端部までの長さ）Ｈ２[ｃｍ]が規定される。高さＨ２は、数式２によって表すことができる。【数２】
2014192307.tif 000004
ｖ：超音波振動子５０の振動の伝搬速度［ｍ／ｓ］  ｆ：超音波振動子５０の周波数［Ｈｚ］  すなわち、高さＨ２は保持容器２０の深さＨ１の２倍程度の長さであることが望ましい。したがって、スポンジ３０の保持容器２０の開口から肌接触面３０ｂの先端部までの長さＨ３は、保持容器２０の深さＨ１と同程度であることが望ましい。
【００２５】（蓋４０について）  蓋４０は略円筒状に形成されている。蓋４０は例えば銅や鉄などの金属材料で構成されている。蓋４０は、テーパ部４０ａを有し、上方と下方にそれぞれ開口４０ｂ及び４０ｃが設けられている。  開口４０ｂは開口４０ｃよりも大径に形成されている。開口４０ｂを有する蓋４０の一端側の内径は、保持容器２０の開口部の外径と同径に形成されている。そして、蓋４０の開口４０ｂを有する一端側の筒状の内側面の所定の個所には、保持容器２０に設けられたねじ山部２１ｃに螺合するねじ溝４０ｄが形成されている。
【００２６】  開口４０ｃは、開口４０ｂよりも小径に形成されている。開口４０ｃを有する蓋４０の他端側の内径は、スポンジ３０の第２側面部３０ｄの外径と略同径に形成されている。  以上のような構成を有する蓋４０は、保持容器２０に取り付けられる。蓋４０が保持容器２０に取り付けられた際には、スポンジ３０の肌接触面３０ｂが開口４０ｃから露出する。蓋４０は、スポンジ３０を上方から保持容器２０の方向に押圧する。蓋４０が保持容器２０に取り付けられた際には、開口４０ｃの開口４０ｂ側の内側縁部とスポンジ３０の第３側面部３０ｅが当接する。この結果、肌接触面３０ｂを地面と対向するように向けたとしても第３側面部３０ｅが、開口４０ｃの開口４０ｂ側の内側縁部にひっかかるので超音波振動美容器１の使用中にスポンジ３０が抜け落ちる事が無い。
【００２７】  蓋４０には導線６２ａ及び保持容器２０を介して制御回路基板６０から電圧が印加される。このことにより、蓋４０は、筐体１０に設けられた側面電極５５と対となる電極として機能する。すなわち蓋４０は、イオン導入法による肌面のトリートメント時に、側面電極５５に対する他極側の電極として機能する。なお、導線６２ａを蓋４０に直接的に接続するように設けてもよい。  ここでは蓋４０及びスポンジ３０を個別の部材として、それぞれ独立して取り扱うように説明したが、例えば接着剤を用いて蓋４０に対してスポンジ３０を固着して蓋４０とスポンジ３０とを一つの部材として扱うようにしてもよい。
【００２８】（超音波振動子５０について）  超音波振動子５０は、酸化チタンや酸化バリウムなどで構成される。超音波振動子５０に電圧が印加されると、超音波振動子５０に圧電効果が発生し、例えば超音波振動子５０の厚み方向に機械的な変位が生じる。この第１の実施の形態の超音波振動子５０は、導線６３を介して制御回路基板６０から所定の周波数（２０［ｋＨｚ］〜３００［ｋＨｚ］）の高周波電圧を印加されて振動する。  超音波振動子５０には、振動形態を複雑にしたり、剛性を高めたりするために、弾力性のあるステンレス鋼板や銅板、あるいは軽量硬質のアルミ、チタン、ジュラルミンなどの金属で構成される金属板が張り合わされることもある。
【００２９】  超音波振動子５０は、保持容器２０の底面部２２の外側面２２ｂの略中央部に位置している。超音波振動子５０は、外側面２２ｂの外側表面に密着して設けられている。このことによって、超音波振動子５０の振動が、保持容器２０に効率よく伝わる。また、超音波振動子５０の振動によって生じる熱が、保持容器２０及びスポンジ３０に移動する。この結果、超音波振動子５０の過度の温度上昇が抑制できる。  超音波振動子５０には、粘性及び放熱性を有するグリス５１を介してサーミスタ５２が取り付けられる。
【００３０】  サーミスタ５２は、導線６４によって制御回路基板６０と接続される。サーミスタ５２は、超音波振動子５０の温度を計測する為の温度計である。（制御回路基板６０について）  次に図３を用いて制御回路基板６０について説明する。図３は、超音波振動美容器１の電気的な機能を示す機能ブロック図である。図３に示すように、制御回路基板６０には、図２に示す制御回路基板６０上に配設された電子素子（例えば、コンデンサ、コイル、ＩＣチップ、メモリなど）によって電源回路部１６１、着脱検知部１６２、第１電圧印加部１６３、第２電圧印加部１６４、温度検知部１６５、メモリ部１６６及びこれらを制御する制御部１６７が形成される。
【００３１】  電源回路部１６１は、二次電池７０の充電制御や超音波振動子５０や側面電極５５などの各要素に、電力を供給する。電源回路部１６１には、ＡＣアダプタ１ａによってＡＣ−ＤＣ変換された電力が、電源端子１１ｆを介して入力される。  着脱検知部１６２は、導線６１を介して着脱検知電極２３と接続されている。着脱検知部１６２は、着脱検知電極２３の短絡による抵抗の変化や電流が流れたか否かを検出することができる。このことにより着脱検知部１６２は、保持容器２０へのスポンジ３０の着脱を検知することができる。
【００３２】  第１電圧印加部１６３は、導線６３を介して超音波振動子５０と接続されている。第１電圧印加部１６３は、超音波振動子５０へ印加する電圧を生成する発振回路、発振された電圧を昇圧する昇圧回路などを備える。第１電圧印加部１６３は、２０［ｋＨｚ］〜３００［ｋＨｚ］の周波数の高周波電圧を超音波振動子５０に印加できる。高周波電圧の周波数は、７０［ｋＨｚ］程度であることが望ましい。従来、超音波を利用した美容器では超音波振動子を１[ＭＨｚ]程度で振動させるものが多かった。しかしながら、毛穴に詰まった角栓や被施術者の肌表面の脂を効率よく乳化させることが困難な場合があった。第１電圧印加部１６３によって、超音波振動子５０に２０[ｋＨｚ]〜３００[ｋＨｚ]の高周波電圧を印加することにより、毛穴に詰まった角栓や被施術者の肌表面の脂を効率よく乳化させることができる。  超音波振動子５０に印加に印加する高周波電圧の値は、１００［Ｖ］〜３００［Ｖ］程度であることが望ましい。
【００３３】  第２電圧印加部１６４は、導線６２ａ、導線６２ｂを介して、蓋４０及び側面電極５５に接続されている。第２電圧印加部１６４は、蓋４０及び側面電極５５へ印加する電圧の発振回路、発振された電圧を昇圧するための昇圧回路などを備える。第２電圧印加部１６４は、３００［Ｈｚ］〜１．５［ｋＨｚ］の周波数の電圧を蓋４０及び側面電極５５へ印加することができる。蓋４０及び側面電極５５へ印加する電圧の値は４〜１０［Ｖ］程度であることが望ましい。  第２電圧印加部１６４が高周波電圧を蓋４０及び側面電極５５に印加することによって、蓋４０及び側面電極５５が一対の電極として機能する。被施術者が側面電極５５をさわりながら蓋４０を肌面に当接させることで、側面電極５５、被施術者の皮膚及び蓋４０によって閉回路が形成され、被施術者の肌に微弱な電流が流れる。この結果イオン導入法による肌のトリートメントを行うことができる。
【００３４】  温度検知部１６５は、サーミスタ５２とともに温度計として機能する。温度検知部１６５は、導線６４を介してサーミスタ５２に接続されている。温度検知部１６５は、サーミスタ５２の抵抗の変化を検知して、超音波振動子５０の温度として検出することができる。温度検知部１６５は、検出した超音波振動子５０の温度を示す値を制御部１６７に出力する。なお、温度検知部１６５は、サーミスタ５２の抵抗の変化を保持容器２０またはスポンジ３０の温度として検出するようにしてもよい。  メモリ部１６６は、超音波振動美容器１が動作する為のファームウェアや温度検知部１６５が検出した超音波振動子５０の温度と比較される１つ以上の閾値を予め保持する。制御部１６７は、電源回路部１６１などの各部と接続されている。
【００３５】  制御部１６７は、表示部８０の表示制御を行う。制御部１６７は、この第１の実施の形態ではＬＥＤの点灯制御を行う。制御部１６７は、被施術者によるスイッチ７５の押下操作を検知する。この結果に応じて、制御部１６７は、第１電圧印加部１６３を制御して超音波振動子５０に電圧を印加させたり、第２電圧印加部１６４を制御して蓋４０や側面電極５５に電圧を印加させたりする。  制御部１６７は、温度検知部１６５が出力した超音波振動子５０の温度を示す値とメモリ部１６７に保持された閾値とを比較する。メモリ部１６６が閾値を１つだけ保持している場合がある。このような場合において超音波振動子５０の温度を示す値が閾値以上だった場合、制御部１６７は、超音波振動子５０への電圧を行わないように第１電圧印加部１６３を制御する。  メモリ部１６６が、複数の閾値を保持している場合がある。このような場合は、制御部１６７は、超音波振動子５０の温度を示す値が閾値をそれぞれ超える毎に、異なるデューティ比で、高周波電圧を超音波振動子５０に印加するように、第１電圧印加部１６３を制御する。ここで「デューティ比」とは、超音波振動子５０への高周波電圧の印加をＯＮにする時間と、ＯＦＦにする時間の比である。すなわち、超音波振動子５０には、高周波電圧が間欠的に印加されることもある。
【００３６】  制御部１６７は、超音波振動子５０への高周波電圧の印加のＯＮ期間からＯＦＦ期間に切り替えるタイミングを閾値を超えるごとに異ならせるように第１電圧印加部１６３を制御する。同様に、制御部１６７は、超音波振動子５０への高周波電圧の印加のＯＦＦ期間からＯＮ期間に切り替えるタイミングを閾値を超えるごとに異ならせるように第１電圧印加部１６３を制御する。  制御部１６７がこのように第１電圧印加部１６３を制御することにより、超音波振動子５０または保持容器２０が異常に発熱してしまうこと（いわゆる空焚き状態）を防止することができる。  制御部１６７は、着脱検知電極２３を介してスポンジ３０が保持容器２０に挿入されているか否かを判定する。制御部１６７は、スポンジ３０が保持容器２０に挿入されていないと判定した場合、制御部１６７は、第１電圧印加部１６３に対して超音波振動子５０への電圧の印加を行わないよう制御する。このことによっても超音波振動子５０または保持容器２０が異常に発熱してしまうことを防止することができる。
【００３７】（超音波振動美容器１の動作の説明）  次に、超音波振動美容器１の動作を説明する。超音波振動美容器１は、室内または屋外での美容処理を主な目的とした装置である。使用者は、使用者の自宅などで商用電源などを用いて美容処理を行うか、バッグなどに入れて持ち運び、持ち運んだ先で二次電池７０の電力を用いて美容処理を行う。  超音波振動美容器１では、超音波振動子５０を駆動させることによって、超音波振動が保持容器２０を介してスポンジ３０に伝搬する。この結果スポンジ３０が高速に振動する。
【００３８】  被施術者は、肌接触面３０ｂを肌面に押し当てることによってしみ出した液体を用いて美容処理を行うことができる。超音波振動美容器１によれば、スポンジ３０が超音波振動することによって、被施術者の肌面を振動させることができる。このことにより、肌面に供給された液体が被施術者の毛穴に入り込みやすくなる。毛穴に入り込んだ液体によって毛穴に詰まった皮脂や角栓が乳化する。この際には、スポンジ３０による振動によって乳化が速やかに行われる。さらにスポンジ３０による振動によって乳化した汚れが毛穴から叩き出されやすくなる。  このように、超音波振動美容器１によれば、肌接触面３０ｂを肌面に押し当てて、擦ったりしなくとも、超音波振動によって毛穴に詰まった皮脂や角栓を速やかに乳化させて除去することができる。したがって、超音波振動美容器１によれば、肌接触面３０ｂとの摩擦によって肌が傷ついてしまうことを防止することができる。さらに、超音波振動美容器１によれば、スポンジ３０によってキャビテ―ションにより発生した気泡によって肌が傷ついてしまうことを抑止することがきる。
【００３９】  キャビテ―ションとは、局所的に液体にかかる圧力が減じられることによって気泡が生じる現象である。この気泡が破裂することによって肌面にストレスがかかり、肌を傷つけてしまう場合がある。超音波振動美容器１によれば、スポンジ３０がキャビテ―ションによって発生した気泡の破裂時の衝撃を吸収するので、肌が傷ついてしまうことを防止することができる。  以上を要するに、超音波振動美容器１によれば、スポンジ３０を振動させることによって肌面を傷つけることなく、乳化した毛穴に詰まった皮脂や角栓を取り除くことが可能となる。
【００４０】（変形例について）  以上、第１の実施の形態を具体的に説明したが、本発明はこの実施形態にのみ限定されるものではなく、その要旨を逸脱しない範囲で種々変更可能である。  以下、本発明の種々の変形例を説明する。以下の説明では、第１の実施の形態と対応する箇所には同一の符号をつけ、詳細な説明は省略する。［変形例１］  図４を用いて、本発明の変形例を説明する。図４は、ヘッド部が交換可能であることを示す図である。図４に示すように、スポンジ３０を保持容器２０から取り外して、代わりにブラシ体１３０を保持容器２０に装着するようにしてもよい。  ブラシ体１３０は、くし基台１３０ａに、複数の棒状部材１３０ｂを突起状に稙設して構成されたものである。
【００４１】  くし基台１３０ａは例えばプラスチックや硬質ゴムなどから構成されており、その断面形状は、図２に示したスポンジ３０と対応する。したがって、蓋４０は、くし基台１３０ａをスポンジ３０と同様に、保持容器２０に押圧して、保持容器２０に対して安定的に固定する。くし基台１３０ａが保持容器２０に装着された場合には、超音波振動子５０の振動数をスポンジ３０が保持容器２０に装着された場合よりも少なくすることが望ましい（例えば、２０［ｋＨｚ］〜４０［ｋＨｚ］）。くし基台１３０ａを保持容器２０に装着する構成とした場合には、制御部１６７は、着脱検知電極２３が非短絡状態であれば、くし基台１３０ａが保持容器２０に装着されていると判定する。くし基台１３０ａと蓋４０を同一の材料で一体的に構成するようにしてもよい。
【００４２】  棒状部材１３０ｂはプラスチック、硬質ゴム、馬毛、人口繊維などから構成されるピン状の部材である。棒状部材１３０ｂによって、被施術者の皮膚面に機械的な刺激を与えることができる。このような機械的刺激を肌面に与えることをタッピングという。タッピングによって、血流促進などのマッサージ効果を皮膚に与えることができる。  以上が変形例１の説明である。この変形例１ではブラシ体１３０をブラシ状としたが、ブラシ体１３０は、この形状に限定されない。例えば、ブラシ体１３０を、複数の棒状部材１３０ｂを所定の間隔をあけて一列に配置させてなる櫛形状に形成してもよい。また、ブラシ体１３０を、櫛形状の部分とブラシ形状の部分とを有するように構成してよい。
【００４３】［変形例２］  次に本発明の変更例２である超音波振動美容器２を図５及び図６に示す。図５は超音波振動美容器１の変形例である超音波振動美容器２のヘッド部の一部断面図である。図６は、超音波振動美容器２の電気的な機能を示す機能ブロック図である。  図５に示すように、超音波振動美容器２では、偏心モータ１７０が、超音波振動子５０と隣接するように保持容器２０の底面部２２の外側表面に密着している。  図６に示すように、超音波振動美容器２は、制御回路基板６０に対応する制御回路基板１６０を備える。制御回路基板１６０は、導線６５を介して偏心モータ１７０を駆動する第３電圧印加部１６８を有する。第３電圧印加部１６８は、偏心モータ１７０に対して直流電圧を供給する。偏心モータ１７０は、例えば１８０００[ｒｐｍ]で回転する。すなわち、偏心モータ１７０の回転軸（図示せず）は３００［Ｈｚ］で回転する。要するに、第３電圧印加部１６８に制御されて偏心モータ１７０が駆動されることによって、３００[Ｈｚ]の振動を超音波振動子５０の振動に加えて保持容器２０に与えることができる。偏心モータ１７０の振動のパワーは超音波振動子５０の振動のパワーよりも大きく、保持容器２０をより強く振動させることができる。  なお、図５に破線で示すように、偏心モータ１７０を筐体１０内部側のヘッド基台部１２の表面１２ｂに密着させて設けるようにしてもよい。
【００４４】［その他の変形例］  以上説明した第１の実施の形態や変形例１、２に例示された部分的な構成同士を適宜組み合わせたり特定の構成を除くように構成したりすることもできる。例えば、着脱検知電極２３を備えない構成としてもよい。例えば、側面電極５５を備えない構成としてもよい。蓋４０を金属ではなくプラスチックを加工して形成するようにしてもよい。スポンジ３０またはくし基台１３０ａを保持容器２０から着脱できない構造とすることもできる。また、例えば第１の実施の形態のスポンジ３０よりも高い剛性を有するスポンジを保持容器２０に装着するようにしてもよい。このようなスポンジを有することによって、超音波振動美容器１，２を皮膚の洗浄だけではなく例えばファンデーションの叩き込みなどの用途にも活用することができる。
【符号の説明】
【００４５】  １，２…超音波振動美容器、１０…筐体、１１…本体部、１１ａ…正面部、１１ｂ…裏面部、１１ｃ，１１ｄ…側面部、１１ｅ…底面部、１１ｆ…電源端子、１２…ヘッド基台部、１２…裏面部、１２ａ…開口、１３…支持用ブッシュゴム、１３ｂ…側面部、２０…保持容器、２０ａ…側面部、２１…壁面部、２１ａ…内周面、２１ｂ…外周面、２１ｃ…山部、２１ｄ…フランジ、２２…底面部、２２ａ…内面、２３…着脱検知電極、３０…スポンジ、３０ａ…底面部、３０ｂ…肌接触面、３０ｃ，３０ｄ，３０ｅ…側面部、４０…蓋、４０ａ…テーパ部、４０ｂ，４０ｃ…開口、４０ｄ…ねじ溝、５０…超音波振動子、５１…グリス、５２…サーミスタ、５５…側面電極、６０…制御回路基板、６１，６２ａ，６２ｂ，６３，６４，…導線、７０…二次電池、７５…スイッチ、８０…表示部、１３０…ブラシ、１３０ａ…基台、１３０ｂ…棒状部材、１６１…電源回路部、１６２…検知部、１６３…第１電圧印加部、１６４…第２電圧印加部、１６５…温度検知部、１６６…制御部、１６６…メモリ部、１６７…制御部、１６８…第３電圧印加部、１７０…偏心モータ。
【図１】
2014192307.tif 000005
【図２】
2014192307.tif 000006
【図３】
2014192307.tif 000007
【図４】
2014192307.tif 000008
【図５】
2014192307.tif 000009
【図６】
2014192307.tif 000010
【国際調査報告】
2014192307.tif 000011
2014192307.tif 000012
2014192307.tif 000013
2014192307.tif 000014
2014192307.tif 000015